(57)【要約】【課題】  建築材の表層部からの天然マイナスイオンの発生が促進され、環境改善や健康促進効果が得られ、且つ表面の光沢性及び耐滑り性に優れたマイナスイオン建築材を提供すること。【解決手段】  建築材２の表層部に、マイナスイオン発生物質４を混入した第１樹脂系ワックス８が塗布されていると共に、第１樹脂系ワックス８上にマイナスイオン発生物質４を含有しない第２樹脂系ワックス９が塗布されているマイナスイオン建築材１である。【選択図】        図１
2005048441.tif 000002
【特許請求の範囲】
【請求項１】
建築材の表層部に、マイナスイオン発生物質を混入した第１樹脂系ワックスが塗布されていると共に、第１樹脂系ワックス上にマイナスイオン発生物質を含有しない第２樹脂系ワックスが塗布されていることを特徴とするマイナスイオン建築材。
【請求項２】
上記マイナスイオン発生物質は、第１樹脂系ワックス中に略均等に分散して混入されるトルマリン等の粉体であることを特徴とする請求項１記載のマイナスイオン建築材。
【発明の詳細な説明】
【技術分野】
【０００１】
本発明は、マイナスイオンを積極的に利用して人体や環境に好影響を与えることができるマイナスイオン建築材に関するものである。
【背景技術】
【０００２】
従来、図２に示すように、建築材２の表面材５上に下塗り塗料６、中塗り塗料７、上塗り塗料３を重ね塗りするにあたって、上塗り塗料３中にトルマリン粉体４Ａを混入させ、このトルマリン混入塗料を上塗りすることにより、建築材２の表層部からマイナスイオンＡを発生させるようにしたマイナスイオン建築材１’が知られている（例えば、特許文献１参照）
ところが従来のように上塗り塗料３中にトルマリン粉体４Ａを混入させるタイプのものでは、トルマリンによりマイナスイオン建築材１’の表面の艶が引けてしまい、光沢性に劣る等の問題があった。
【特許文献１】特願２００２−１４７００２号公報
【発明の開示】
【発明が解決しようとする課題】
【０００３】
本発明は上記の従来の問題点に鑑みて発明したものであって、建築材の表層部からの天然マイナスイオンの発生が促進され、環境改善や健康促進効果が得られ、且つ表面の光沢性及び耐滑り性に優れたマイナスイオン建築材を提供することを課題とするものであり、また、比較的安価にマイナスイオン量を増加させることができるマイナスイオン建築材を提供することを課題とするものである。
【課題を解決するための手段】
【０００４】
上記課題を解決するために本発明に係るマイナスイオン建築材は、建築材２の表層部に、マイナスイオン発生物質４を混入した第１樹脂系ワックス８が塗布されていると共に、第１樹脂系ワックス８上にマイナスイオン発生物質４を含有しない第２樹脂系ワックス９が塗布されていることを特徴としている。
【０００５】
このような構成とすることで、第１樹脂系ワックス８からマイナスイオンＡを発生させることができ、マイナスイオンＡによる健康対応型のマイナスイオン建築材１が得られる。なお、第１樹脂系ワックス８の表面の艶がマイナスイオン発生物質４により若干引けた場合でも、さらにその上にマイナスイオン発生物質４を含まない第２樹脂系ワックス９を重ね塗りをすることで、マイナスイオン建築材１の表面の光沢性を高めると同時に、第２樹脂系ワックス９によってその表面の粘性を上昇させることができるため、表面耐滑り性を向上させるのにも役立つ効果がある。
【０００６】
上記マイナスイオン発生物質４は、第１樹脂系ワックス８中に略均等に分散して混入されるトルマリン等の粉体４Ａであることを特徴とするのが好ましく、この場合、マイナスイオンＡを発生させるのに有利なトルマリンが高価であっても、第１樹脂系ワックス８中のみに略均等に分散して混入されているため、トルマリンの使用量を抑えながら、マイナスイオンＡの発生量の減少を防止できる結果、マイナスイオン建築材１が安価に仕上がるものである。
【発明の効果】
【０００７】
本発明に係るマイナスイオン建築材は、建築材の表層部からの天然マイナスイオンの発生が促進され、例えば、疲労回復、自律神経回復、免疫機能向上等の健康、さらに安らぎ、快適な室内環境を与える効果が得られると共に、マイナスイオン建築材の表面の艶が引けるのを防止でき、さらに表面耐滑り性を向上させることが可能なマイナスイオン建築材が比較的安価に得られるものである。
【発明を実施するための最良の形態】
【０００８】
以下、本発明を添付図面に示す実施形態に基いて説明する。
【０００９】
本実施形態のマイナスイオン建築材１は、図１に示すように、建築材２の表層部にマイナスイオン発生物質４を混入した第１樹脂系ワックス８が塗布されていると共に、第１樹脂系ワックス８上にマイナスイオン発生物質４を含有しない第２樹脂系ワックス９が塗布されていることを特徴とするものである。また本例では、マイナスイオン発生物質４は、第１樹脂系ワックス８中に略均等に分散して混入されるトルマリン粉体４Ａであることを特徴とするものである。
【００１０】
ここで、上記建築材２は、例えば床材であり、その表面には下塗り塗料６、中塗り塗料７、上塗り塗料３などが重ね塗りされる。なお、建築材２として、ムク、合板、ＭＤＦ、その他の一般建材（パーチクルホード、ＨＤＦ、ＯＳＢ、針葉樹等）が用いられる。なお、建築材２がムク以外の場合はその表面に、単板、突板、シート等の表面材を貼着し、その上に上記塗料６、７、３を重ね塗りしてもよい。
【００１１】
上記第１樹脂系ワックス８及び第２樹脂系ワックス９は、例えば、ポリエチレンワックス、ポリプロピレンワックス、テフロン（Ｒ）ワックス等が挙げられるが、もちろんこれに限られるものではなく、適宜選択自在である。
【００１２】
上記マイナスイオン発生物質４は、第１樹脂系ワックス８中に混入されるものであり、例えば、トルマリン粉体４Ａが使用される。このトルマリン粉体４Ａは、電気石と呼ばれる天然トルマリン鉱石を微細に砕いて微細結晶としたものに、熱と特殊触媒を混入し、マイナスイオンＡを発生しやすい状態にしたものを使用する。その理由はトルマリンのみの粉末ではマイナスイオンＡの発生量が少ないためである。ここで、本例に用いられるトルマリンの粒径は例えば、０．４μ〜０．５μ、塗布量は例えば０．５〜１．５ｇ／尺角としているが、もちろんこれに限定されるものではない。また、マイナスイオンＡの発生機能を持つものとして、トルマリン以外に、例えば、光明石、医王石、龍王石等も適宜選択使用可能である。
【００１３】
次に、上記構成のマイナスイオン建築材１を製造するにあたっては、建築材２上に下塗り、中塗り、上塗りを行ない、上塗りを完了した製品の表層部に、樹脂系ワックスを２度塗りする。最初の第１樹脂系ワックス８に粒径０．４〜０．５μのトルマリン粉体４Ａを３〜３０％混入し、よく撹拌する。これによりトルマリン粉体４Ａが第１樹脂系ワックス８中に略均等に分散して混入されるようになる。これをロールコーターにて尺角０．５〜１．５ｇ塗布し、乾燥を行なう。乾燥は強制又は自然乾燥のいずれでもよい。その後、その上に仕上げとして、マイナスイオン発生物質４を混入していない第２樹脂系ワックス９をロールコーターにて尺角０．５〜１．５ｇ塗布して、マイナスイオン建築材１を完成する。
【００１４】
しかして、第１樹脂系ワックス８にはマイナスイオン発生物質４を混入した場合、第１樹脂系ワックス８の艶がトルマリンにより若干引けるため、さらにその上に第２樹脂系ワックス９を重ね塗りをすることで、マイナスイオン建築材１の表面の光沢性を高めることができる。しかも、第２樹脂系ワックス９は尺角０．５〜１．５ｇで薄く塗布されるため、トルマリンからのマイナスイオンＡの発生量の減少がほとんどなく、建築材２の表層部からのマイナスイオンＡ（天然マイナスイオン）の発生が促進される。これにより、マイナスイオンＡの効果を増大させる健康対応型のものとなり、結果、例えば、疲労回復、自律神経回復、免疫機能向上等の健康、さらに安らぎ、快適な室内環境を与える効果が得られる。なお、マイナスイオンＡを発生させるのに有利なトルマリンは高価であるが、第１樹脂系ワックス８中のみに略均等に分散して混入されているため、トルマリンの使用量を抑えながら、マイナスイオンＡの発生量の減少を防止できる。これにより、マイナスイオン建築材１が安価に仕上がるものである。
【００１５】
さらに、第２樹脂系ワックス９にはトルマリンが含まれないため、マイナスイオン建築材１の表面の艶が引けるのを防止できると同時に、その表面の粘性を上昇させるため、耐滑り性を向上させるのにも役立つ効果がある。従って、床材として使用される場合においては表面耐滑り性が向上し、歩行性及び安全性に優れたものとなる。さらに、第２樹脂系ワックス９は第１樹脂系ワックス８を保護してマイナスイオンＡの発生を長期に亘って持続できる効果もある。さらに樹脂系ワックスは、紫外線防御効果、透明性、持続性、感触および断熱性、保温性等にも優れた効果を発揮するものであり、そのうえ製品の表面に２度塗りするので、平滑性も確保でき、建築材２の表面仕上げに好適である。
【００１６】
本発明に係るマイナスイオン建築材１は、床材に限らず、壁材、天井材、その他のすべての建築用の塗装建材（シート材も含む）に広く適用されるものである。
【図面の簡単な説明】
【００１７】
【図１】本発明の一実施形態のマイナスイオン建築材の表層部に、マイナスイオン発生物質を混入した第１樹脂系ワックスと、マイナスイオン発生物質を混入しない第２樹脂系ワックスとを重ね塗りした状態の説明図である。
【図２】従来例の説明図である。
【符号の説明】
【００１８】
１  マイナスイオン建築材
２  建築材
４  マイナスイオン発生物質
４Ａ  トルマリン粉体
８  第１樹脂系ワックス
９  第２樹脂系ワックス
【図１】
2005048441.tif 000003
【図２】
2005048441.tif 000004